(57)【要約】【課題】ランプユニットを引き抜く方向にランプハウス側の電極部を付勢することにより、ランプの交換作業を容易、且つ安全に行うことができる内視鏡用光源装置を提供する。【解決手段】内視鏡用光源装置１０は、キセノンランプ３８を有するランプユニット３０と、このランプユニット３０が挿入されて装着されるランプハウス２６を備える。ランプハウス２６には、点灯用電極４６、４８、スライド電極６０、６２、及び放電用電極７８が設けられる。点灯用電極４６、４８、及びスライド電極６０、６２は、ランプユニット３０の抜脱方向に付勢される。この点灯用電極４６、４８、及びスライド電極６０、６２には、ランプユニット３０のヒートシンク４２、４４が当接される。放電用電極７８は、スライド電極６０、６２がランプユニット３０の抜脱方向に移動した際、スライド電極６０、６２に接触する。【選択図】      図４
2004254760.tif 000002
【特許請求の範囲】
【請求項１】
内視鏡装置に照明光を供給する光源ランプを有するランプユニットと、該ランプユニットが挿入されて装着されるランプハウスとを備えた内視鏡用光源装置において、
前記光源ランプを点灯するための電極部であって、前記ランプハウスに設けられるとともに、前記ランプユニットを前記ランプハウスに対して挿脱する方向に進退自在に支持されるハウス側電極部と、
前記ランプハウスに挿入される前記ランプユニットのランプ側電極部に向けて前記ハウス側電極部を付勢する付勢手段と、
を備えたことを特徴とする内視鏡用光源装置。
【請求項２】
内視鏡装置に照明光を供給する光源ランプを有するランプユニットと、該ランプユニットが挿入されて装着されるランプハウスとを備えた内視鏡用光源装置において、
前記ランプハウスに設けられ、前記ランプユニットを前記ランプハウスに対して挿脱する方向にスライド自在に支持されるとともに、前記ランプユニットを前記ランプハウスに挿入した際に該ランプユニットの高圧発生部に当接してスライドするスライド電極部と、
前記ランプハウスに挿入される前記ランプユニットの高圧発生部に向けて前記スライド電極部を付勢する付勢手段と、
前記スライド電極部がスライドすることによって、該スライド電極部と接続、或いは切断される放電回路と、
を備え、前記ランプユニットを前記ランプハウスから引き抜く際に、前記ランプユニットの高圧発生部が前記スライド電極を介して前記放電回路に接続されることを特徴とする内視鏡用光源装置。
【請求項３】
内視鏡装置に照明光を供給する光源ランプを有するランプユニットと、該ランプユニットが挿入されて装着されるランプハウスとを備えた内視鏡用光源装置において、
前記ランプユニットは、該ランプユニットを把持するための把持部と、前記光源ランプを保持するヒートシンクとを備え、前記把持部と前記ヒートシンクとの間には低熱伝導性且つ非導電性部材が配設されることを特徴とする内視鏡用光源装置。
【請求項４】
内視鏡装置に照明光を供給する光源ランプを有するランプユニットと、該ランプユニットが挿入されて装着されるランプハウスとを備えた内視鏡用光源装置において、
前記扉の裏面には突起部が設けられ、該突起部は、前記ランプユニットが前記ランプハウスに不完全な状態で装着されていた場合に該ランプユニットに当接して前記扉の閉止動作を阻止することを特徴とする内視鏡用光源装置。
【発明の詳細な説明】
【０００１】
【発明の属する技術分野】
本発明は内視鏡用光源装置に係り、特に、医療用内視鏡に照明光を供給するための内視鏡用光源装置に関する。
【０００２】
【従来の技術】
医療用内視鏡は、ライトガイドコネクタを備えており、このライトガイドコネクタを光源装置に接続することによって、光源装置からの照明光が内視鏡に供給される。
【０００３】
光源装置は、光源ランプを有するランプユニットと、このランプユニットが収納されるランプハウスとをケースの内部に備え、ケースには、ランプユニットを挿脱して光源ランプを交換するためのランプ交換扉が設けられる。光源ランプは、安定した光量を内視鏡装置に供給するため、一定使用時間毎に交換される。
【０００４】
特許文献１に記載の内視鏡用光源装置は、ランプ交換扉を二重に備え、この二重のランプ交換扉の奥に、光源ランプが設けられる。光源ランプは、ヒートシンクに保持されており、ヒートシンクは固定ツマミによって固定される。内側のランプ交換扉は、インターロックとして作用し、このランプ交換扉を外すことにより、光源ランプを点灯するための回路が切断される。
【０００５】
特許文献２には、ランプ交換扉を外すことによって、ヒートシンクの放電回路のスイッチがＯＮになる光源装置が記載されている。この光源装置によれば、ランプ交換扉を外すことによってヒートシンクの放電が行われるので、光源ランプの交換作業を安全に行うことができる。
【０００６】
【特許文献１】
特開平６−６７０９７号公報
【０００７】
【特許文献２】
特開平９−３２７４３５号公報
【０００８】
【発明が解決しようとする課題】
しかしながら、特許文献１は、光源ランプを交換するために、二重に設けたランプ交換扉を開閉したり、固定ツマミによってヒートシンクを固定したりする必要があり、光源ランプを簡単に交換することができないという問題があった。
【０００９】
また、特許文献１、及び特許文献２は、光源ランプを使用することによってヒートシンクが高温になっているため、使用直後にランプユニットを取り出すことができないという問題があった。
【００１０】
本発明はこのような事情に鑑みてなされたもので、ランプの交換作業を容易、且つ安全に行うことができる内視鏡用光源装置を提供することを目的とする。
【００１１】
【課題を解決するための手段】
請求項１記載の発明は前記目的を達成するために、内視鏡装置に照明光を供給する光源ランプを有するランプユニットと、該ランプユニットが挿入されて装着されるランプハウスとを備えた内視鏡用光源装置において、前記光源ランプを点灯するための電極部であって、前記ランプハウスに設けられるとともに、前記ランプユニットを前記ランプハウスに対して挿脱する方向に進退自在に支持されるハウス側電極部と、前記ランプハウスに挿入される前記ランプユニットのランプ側電極部に向けて前記ハウス側電極部を付勢する付勢手段と、を備えたことを特徴としている。
【００１２】
請求項１に記載の発明によれば、ハウス側電極部がランプ側電極部に向けて付勢されているので、ランプユニットをランプハウスに挿入した際、ハウス側電極部とランプ側電極部とが確実に当接される。また、ランプユニットをランプハウスから引き抜く際に、ハウス側電極部の付勢力によってランプユニットが付勢されるので、ランプユニットを簡単に引き抜くことができる。
【００１３】
請求項２記載の発明は前記目的を達成するために、内視鏡装置に照明光を供給する光源ランプを有するランプユニットと、該ランプユニットが挿入されて装着されるランプハウスとを備えた内視鏡用光源装置において、前記ランプハウスに設けられ、前記ランプユニットを前記ランプハウスに対して挿脱する方向にスライド自在に支持されるとともに、前記ランプユニットを前記ランプハウスに挿入した際に該ランプユニットの高圧発生部に当接してスライドするスライド電極部と、前記ランプハウスに挿入される前記ランプユニットの高圧発生部に向けて前記スライド電極部を付勢する付勢手段と、前記スライド電極部がスライドすることによって、該スライド電極部と接続、或いは切断される放電回路と、を備え、前記ランプユニットを前記ランプハウスから引き抜く際に、前記ランプユニットの高圧発生部が前記スライド電極を介して前記放電回路に接続されることを特徴としている。
【００１４】
請求項２に記載の発明によれば、スライド電極部がランプユニットの高圧発生部に向けて付勢されているので、スライド電極部と高圧発生部が確実に当接される。また、ランプユニットを引き抜く際にランプユニットの高圧発生部がスライド電極を介して放電回路に接続されるので、高圧発生部に蓄えられた電荷が放電され、ランプユニットを安全に引き抜くことができる。
【００１５】
さらに、請求項２に記載の発明によれば、ランプユニットをランプハウスから引き抜く際に、スライド電極部の付勢力によってランプユニットが付勢されるので、ランプユニットを簡単に引き抜くことができる。
【００１６】
請求項３記載の発明は前記目的を達成するために、内視鏡装置に照明光を供給する光源ランプを有するランプユニットと、該ランプユニットが挿入されて装着されるランプハウスとを備えた内視鏡用光源装置において、前記ランプユニットは、該ランプユニットを把持するための把持部と、前記光源ランプを保持するヒートシンクとを備え、前記把持部と前記ヒートシンクとの間には低熱伝導性且つ非導電性部材が配設されることを特徴としている。
【００１７】
請求項３に記載の発明によれば、把持部とヒートシンクとの間に低熱伝導性且つ非導電性部材が配設されるので、ヒートシンクの熱が把持部に伝わることを防止できる。したがって、使用直後でヒートシンクが高温になっている場合であっても、ランプユニットを安全に引き抜くことができる。さらに、ヒートシンクに電荷が蓄積されている場合であっても、把持部を把持した際に感電することがない。
【００１８】
請求項４記載の発明は前記目的を達成するために、内視鏡装置に照明光を供給する光源ランプを有するランプユニットと、該ランプユニットが挿入されて装着されるランプハウスとを備えた内視鏡用光源装置において、前記扉の裏面には突起部が設けられ、該突起部は、前記ランプユニットが前記ランプハウスに不完全な状態で装着されていた場合に該ランプユニットに当接して前記扉の閉止動作を阻止することを特徴としている。
【００１９】
請求項４に記載の発明によれば、扉の裏面に突起部を設けたので、ランプユニットが不完全な状態で装着されていても扉を閉じることが出来ない。
【００２０】
【発明の実施の形態】
以下添付図面に従って本発明に係る内視鏡用光源装置の実施の形態について説明する。
【００２１】
図１は、本発明に係る内視鏡用光源装置を示す斜視図であり、図２は内視鏡用光源装置の平面図である。
【００２２】
図１に示すように、内視鏡用光源装置１０の筐体１２には、ランプ交換用の開口１２Ａが形成されるとともに、この開口１２Ａを開閉するための扉１４が蝶番（不図示）などによって回動自在に取り付けられる。扉１４には、ローレットねじ１６が取り付けられており、このローレットねじ１６を、開口１２Ａの縁部に設けたねじ孔１８に締め込むことによって、扉１４がロックされる。
【００２３】
扉１４の裏面１４Ａの下部にはピン２０が突設され、このピン２０が扉１４を閉じた際に開口１２Ａの縁部の孔２２に挿入される。その際、ピン２０はインターロックとして作用し、ピン２０が孔２２から抜き出された際には、後述するキセノンランプ３８（図３参照）に電源が供給されないようになっている。
【００２４】
また、扉１４の裏面１４Ａの中央には、突起部２４、２４が設けられている。この突起部２４、２４は、後述するランプユニット３０が装着不完全であった場合にランプユニット３０に当接し、扉１４の閉止動作を阻止するようになっている。
【００２５】
図２に示すように、筐体１２の内部には、ランプハウス２６、点灯装置２８、及び冷却ファン３４が設けられる。点灯装置２８は定電流回路であり、ケーブル３２、３２を介してランプハウス２６に接続される。冷却ファン３４は、ランプハウス２６に隣接して設けられ、この冷却ファン３４を駆動することによって、ランプハウス２６の内部が冷却される。ランプハウス２６は、図１の筐体１２の開口１２Ａに向けて配置されており、この開口１２Ａを介して図３乃至図６に示すランプユニット３０がランプハウス２６の内部に挿入されて装着される。
【００２６】
図３、図４はランプユニット３０とランプハウス２６の構造を示す斜視図であり、図５、図６はそれぞれ、ランプユニット３０とランプハウス２６の側面図、平面図である。
【００２７】
これらの図に示すように、ランプユニット３０は主として、キセノンランプ３８、ヒートシンク４２、４４、ランプホルダ４０、イジェクタ取付板５０、イジェクタ５２、５２、及びイジェクタロック５６、５６で構成される。
【００２８】
図４に示すように、キセノンランプ３８は光源ランプであり、ヒートシンク４２、４４に保持されて固定される。ヒートシンク４２、４４はアルミ等の熱伝導性の良い材質からなり、キセノンランプ３８の熱を効率良く放熱できるように多数のフィンが放射線状に設けられている。このヒートシンク４２、４４は、キセノンランプ３８を点灯するための電極でもあり、ランプユニット３０をランプハウス２６に装着した際に、ランプハウス２６側の点灯用電極（陽極）４６、点灯用電極（陰極）４８に当接される。
【００２９】
また、ヒートシンク４２、４４は、ランプホルダ４０に保持される。ランプホルダ４０は、エポキシ樹脂等の熱伝導性の低い材質から成り、板状に形成されている。このランプホルダ４０は、ランプユニット３０をランプハウス２６に装着した際、支柱３６、３６の間に配置され、ランプハウス２６の蓋になる。したがって、ランプユニット３０をランプハウス２６に装着した状態では、作業者がランプハウス２６の内部のヒートシンク４２、４４やキセノンランプ３８に触れることができないようになっている。
【００３０】
ランプホルダ４０には、ヒートシンク４２、４４の反対側に、イジェクタ取付板５０が固定されている。イジェクタ取付板５０の両端部にイジェクタ５２、５２が取り付けられる。図６に示すように、各イジェクタ５２は、軸５４を中心に揺動自在に支持されており、各イジェクタ５２には、ランプハウス２６の支柱３６に係合する溝５２Ａが形成されている。
【００３１】
また、イジェクタ取付板５０には、イジェクタロック５６、５６が取り付けられている。各イジェクタロック５６は、軸５８を中心に揺動自在に支持されており、イジェクタ５２の突起部５２Ｂに係合する溝５６Ｂ、５６Ｂが形成される。イジェクタロック５６、５６は、イジェクタ５２、５２を内側に倒した後、外側に倒すことによって、イジェクタロック５６、５６の溝５６Ｂ、５６Ｂにイジェクタ５２、５２の突起部５２Ｂ、５２Ｂが係合される。これにより、イジェクタ５２、５２をロックすることができる。
【００３２】
一方、ランプハウス２６は、図４に示すように、点灯用電極４６、４８、スライド電極６０、６２、及び放電用電極７８を備えている。
【００３３】
点灯用電極４６、４８はそれぞれ、電極ホルダ６４、６６に保持される。図５に示すように、点灯用電極４８は、ランプユニット３０をランプハウス２６に対して挿脱する方向（図５中、左右方向：以下、挿脱方向という）にスライド自在に支持されるとともに、スプリング６７によってランプユニット３０を引き抜く方向（図５中、左方向：以下、抜脱方向という）に付勢されている。同様に、点灯用電極４６も、挿脱方向にスライド自在に支持されるとともに、スプリング（不図示）によって抜脱方向に付勢される。このように構成された点灯用電極４６、４８には、ランプユニット３０をランプハウス２６に挿入した際に、ヒートシンク４２、４４の先端が当接される。なお、点灯用電極４６、４８は、ヒートシンク４２、４４が当接する当接面４６Ａ、４８Ａが常に電極ホルダ６４、６６から突出した状態に保持される。
【００３４】
図４に示すように、スライド電極６０、６２は、Ｌ状に形成されている。また、スライド電極６０、６２は、ランプユニット３０の挿脱方向にスライド自在に支持されるとともに、スプリング７０、７２によって抜脱方向に付勢されている。さらに、図３に示すように、スライド電極６０、６２の上端部６０Ａ、６２Ａはそれぞれ、ヒートシンク台７３に形成された開口７４、７６から突出されている。このように構成されたスライド電極６０、６２には、ランプユニット３０をランプハウス２６に挿入した際に、ヒートシンク４２、４４が当接され、ランプユニット３０の挿入方向にスライドする。
【００３５】
放電用電極７８は、図４に示す如くコの字状に形成される。この放電用電極７８は、スライド電極６０、６２を抜脱方向に移動した際にその先端部６０Ｂ、６２Ｂが接触するとともに、スライド電極６０、６２を挿入方向に移動した際に先端部６０Ｂ、６２Ｂが離れるようになっている。また、放電用電極７８は、図５に示すように抵抗８０を介して筐体１２に接続されている。
【００３６】
図３に示すように、ヒートシンク台７３には、開口７４、７６の間にガイド部６８が突出して形成されている。このガイド部６８は、ヒートシンク４２、４４の間の隙間と同じ幅で形成されている。したがって、ランプユニット３０をランプハウス２６に挿入する際、ヒートシンク４２、４４がガイド部６８によってガイドされて挿入される。
【００３７】
次に上記の如く構成された内視鏡用光電装置１０の作用について図１、及び図７〜図１１を用いて説明する。図７〜図１１において、（Ａ）平面図、（Ｂ）側面図である。
【００３８】
ランプユニット３０をランプハウス２６に装着する際、まず、図１に示すように扉１４を開き、ランプユニット３０を筐体１２の開口１２Ａからランプハウス２６の支柱３６、３６の間に挿入する。
【００３９】
ランプユニット３０をランプハウス２６に挿入することにより、まず、図７（Ｂ）に示すように、ヒートシンク４２、４４の下部がそれぞれ、スライド電極６０、６２の上端部６０Ａ、６２Ａに当接する。
【００４０】
ランプユニット３０をさらに挿入すると、スライド電極６０、６２は図８（Ｂ）に示すように押し込まれ、スライド電極６０、６２の先端部６０Ｂ、６２Ｂが放電用電極７８から離れる。
【００４１】
次に、図８（Ａ）に示すように、イジェクタ５２、５２の溝５２Ａ、５２Ａに支柱３６、３６を差し込む。そして、図９（Ａ）に示すように、イジェクタ５２、５２を内側に倒す。これにより、イジェクタ５２、５２の溝５２Ａ、５２Ａに支柱３６、３６が係合される。その際、ランプユニット３０は、支柱３６、３６を支点としてさらに奥に押し込まれる。これによって、図１０（Ａ）、図１０（Ｂ）に示すようにヒートシンク４２、４４の先端が点灯用電極４６、４８に当接し、点灯用電極４６、４８が押し込まれる。点灯用電極４６、４８は、抜脱方向、すなわち挿入方向の反対方向に付勢されているので、点灯用電極４６、４８はヒートシンク４２、４４に確実に当接された状態に維持される。
【００４２】
イジェクタ５２を完全に倒した後、図１１（Ａ）に示すように、イジェクタロック５６を外側に倒して、イジェクタロック５６の溝５６Ｂにイジェクタ５２の突起部５２Ｂを係合させる。これにより、イジェクタ５２が固定され、ランプユニット３０がランプハウス２６に装着される。
【００４３】
装着後、図１の扉１４を閉じることによって、ピン２０が孔２２に挿入され、インターロックが解除される。これにより、キセノンランプ３８の点灯が可能となる。
【００４４】
ただし、扉１４を閉じる際、ランプユニット３０の装着が未完了であれば（すなわち、イジェクタ５２やイジェクタロック５６が完全に倒れてなければ）、扉１４の内側に設けた突起部２４がイジェクタ５２やイジェクタロック５６に当接し、扉１４を完全に閉じることができない。したがって、ピン２０が孔２２に挿入されず、インターロックが解除されないので、ランプユニット３０の未完了、または不完全な装着時にキセノンランプ３８を誤って点灯することを確実に防止できる。
【００４５】
一方、ランプユニット３０をランプハウス２６から引き抜く際は、まず、扉１４を開き、イジェクタロック５６を起立させてイジェクタ５２のロックを解除する。すなわち、図１１（Ａ）に示したロック状態から、図１０（Ａ）のロック解除状態に切り替える。そして、図９（Ａ）に示すように、イジェクタ５２、５２を回転させ、起立させる。その際、ランプユニット３０は、点灯用電極４６、４８の付勢力とスライド電極６０、６２の付勢力によって外側に押し出される。これにより、ヒートシンク４２、４４が点灯用電極４６、４８から離れる。
【００４６】
図８（Ａ）に示す如くイジェクタ５２、５２を完全に起立させた後、イジェクタ取付板５０を把持してランプユニット３０を引き抜く。イジェクタ取付板５０は、低熱伝導性のランプホルダ４０を介してヒートシンク４２、４４に取り付けられているので、ヒートシンク４２、４４が高温になっている使用直後であっても、イジェクタ取付板５０が高温になることがなく、イジェクタ取付板５０を把持して安全に引き抜くことができる。また、ランプユニット３０を引き抜く際、ランプユニット３０はスライド電極６０、６２の付勢力を受けるため、ランプユニット３０を小さな力で引き抜くことができる。
【００４７】
ランプユニット３０を引き抜いていくと、図７（Ｂ）に示すように、スライド電極６０、６２の先端６０Ｂ、６２Ｂが放電用電極７８に接触する。これにより、ヒートシンク４２、４４がスライド電極６０、６２を介して放電用電極７８に接続される。したがって、ヒートシンク４２、４４に蓄えられた電荷が放電用電極７８を介して放電され、ヒートシンク４２、４４は筐体１２と略同程度の電位になる。その際、図７（Ａ）に示すように、支柱３６、３６の間には、絶縁性を有するエポシキ樹脂製のランプホルダ５０が配置されている。したがって、放電が行われるまでは、ランプホルダ５０によって、ヒートシンク４２、４４に触れることが防止される。これにより、ヒートシンク４２、４４に触れることが可能な位置までランプユニット３０を引き抜いた際には、ヒートシンク４２、４４の放電が確実に終了しているので、作業者の感電を確実に防止することができる。
【００４８】
以上説明したように、本実施の形態の内視鏡用光源装置１０によれば、点灯用電極４６、４８がランプユニット３０の抜脱方向に付勢されているので、ランプユニット３０を装着した際に、ヒートシンク４２、４４と点灯用電極４６、４８とが確実に接触される。したがって、ヒートシンク４２、４４と点灯用電極４６、４８の接触不良を防止することができる。
【００４９】
また、本実施の形態によれば、点灯用電極４６、４８、及びスライド電極６０、６２が抜脱方向に付勢されているため、ランプユニット３０を簡単に引き抜くことができる。
【００５０】
さらに、ランプユニット３０をランプハウス２６に着脱する作業は、イジェクタ５２とイジェクタロック５６を回転するだけで行うことができ、工具等が不要である。
【００５１】
また、本実施の形態によれば、ランプユニット３０を完全に引き抜く前に、ヒートシンク４２、４４がスライド電極６０、６２を介して放電用電極７８に接続され、ヒートシンク４２、４４の放電が行われる。したがって、ヒートシンク４２、４４に帯電した電荷を放電除去することができ、作業者の感電を確実に防止することができる。
【００５２】
また、本実施の形態によれば、ランプユニット３０の保持部であるイジェクタ取付板５０と、使用時に高温になるヒートシンク４２、４４との間に、低熱伝導性のランプホルダ４０が配設されているので、イジェクタ取付板５０が高温にならず、作業者が火傷するおそれがない。したがって、使用直後であってもランプユニット３０を安全に引き出すことができる。
【００５３】
さらに、本実施の形態によれば、扉１４の内側に突起部２４、２４を設けて、ランプユニット３０の不完全な装着時に扉１４が閉まらないようになっているので、ランプユニット３０の不完全な装着における異常放電などの不具合を防止することができる。
【００５４】
【発明の効果】
以上説明したように本発明に係る内視鏡用光源装置によれば、ランプユニットを引き抜く方向にハウス側電極部を付勢したので、ランプユニットを簡単に引き抜くことができるとともに、ランプユニットをランプハウスに挿入する際には、ハウス側電極部がランプ側電極部に確実に押し当てて接続することができる。
【００５５】
また、本発明に係る内視鏡用光源装置によれば、ランプユニットを引き抜く際にランプユニットの高圧発生部がスライド電極を介して放電回路に接続されるので、高圧発生部に蓄えられた電荷が放電され、ランプユニットを安全に抜き出すことができる。
【００５６】
また、本発明に係る内視鏡用光源装置によれば、把持部とヒートシンクとの間に低熱伝導性部材を配設したので、ヒートシンクの熱が把持部に伝わることを防止でき、ランプユニットを安全に引き抜くことができる。
【００５７】
また、本発明に係る内視鏡用光源装置によれば、扉の裏面に突起部を設けたので、ランプユニットが不完全な装着であった場合に扉を閉じることができず、光源装置を安全に使用することができる。
【図面の簡単な説明】
【図１】本発明に係る内視鏡用光源装置を示す斜視図
【図２】図１に示した内視鏡用光源装置の平面図
【図３】ランプユニットとランプハウスを示す斜視図
【図４】図３のランプハウスの一部を切り欠いた斜視図
【図５】図４に示したランプユニットとランプハウスを示す側面図
【図６】図４に示したランプユニットとランプハウスを示す平面図
【図７】本発明に係る内視鏡用光源装置の作用を示す図
【図８】本発明に係る内視鏡用光源装置の作用を示す図
【図９】本発明に係る内視鏡用光源装置の作用を示す図
【図１０】本発明に係る内視鏡用光源装置の作用を示す図
【図１１】本発明に係る内視鏡用光源装置の作用を示す図
【符号の説明】
１０…内視鏡用光源装置、１２…筐体、１４…扉、１６…ローレットねじ、１８…ねじ孔、２０…ピン、２２…孔、２４…突起部、２６…ランプハウス、２８…点灯装置、３０…ランプユニット、３２…ケーブル、３４…冷却ファン、３６…支柱、３８…キセノンランプ、４０…ランプホルダ、４２…ヒートシンク（陽極）、４４…ヒートシンク（陰極）、４６…点灯用電極（陽極）、４８…点灯用電極（陰極）、５０…イジェクタ取付板、５２…イジェクタ、５４…軸、５６…イジェクタロック、５８…軸、６０、６２…スライド電極、６４、６６…電極ホルダ、６８…ガイド部、７０、７２…スプリング、７４、７６…開口、７８…放電用電極、８０…抵抗
【図１】
2004254760.tif 000003
【図２】
2004254760.tif 000004
【図３】
2004254760.tif 000005
【図４】
2004254760.tif 000006
【図５】
2004254760.tif 000007
【図６】
2004254760.tif 000008
【図７】
2004254760.tif 000009
【図８】
2004254760.tif 000010
【図９】
2004254760.tif 000011
【図１０】
2004254760.tif 000012
【図１１】
2004254760.tif 000013